(57)【要約】      （修正有）【課題】メイン基板上に電源スイッチを実装できない場合であっても、筐体の奥行きを増すことなく電源スイッチを省スペースに設置することができる薄型表示装置の電源スイッチ取付構造を提供する。【解決手段】液晶テレビジョン装置は、樹脂製のフロントカバー１ａと、液晶表示モジュール２と、メイン基板３と、樹脂製のリアカバー１ｂを含む。スイッチ本体５１をサブ基板６に実装し、その実装面をメイン基板３の実装面に対向配置する。そのサブ基板６を、サブ基板６の実装面と反対の面を保護する保護板８と共にビスの共締めにより、ジャックホルダー４と一体に形成された保持壁４６に保持するとともに、押ボタン７の操作部７２をジャックホルダー４に設けた角孔４３から筐体１の外部に突出させる。【選択図】図１
2008129369.tif 000002
【特許請求の範囲】
【請求項１】
液晶表示モジュールと、
該液晶表示モジュールの背後に設置され、部品の実装面とは反対の面で前記液晶表示モジュールと対向して配置されたメイン基板と、
スイッチ本体、及び、該スイッチ本体に進退自在に設けられシャフト、を有するプッシュ式の電源スイッチと、
前記シャフトに取付けられ電源のＯＮ／ＯＦＦ操作時に押動される押ボタンと、
前記メイン基板の一端縁に取付けられ、筐体側面部に配置されるとともに、映像入力端子、音声入力端子、アンテナ端子等の各種ジャックを保持するジャックホルダーと、
を有する薄型表示装置の電源スイッチ取付構造であって、
前記スイッチ本体をサブ基板に実装し、その実装面を前記メイン基板の実装面に対向配置するように前記サブ基板を、前記サブ基板の実装面と反対の面を保護する保護板と共にビスの共締めにより、前記ジャックホルダーと一体に形成された保持部に保持するとともに、前記押ボタンの操作部を前記ジャックホルダーに設けた開口から筐体の外部に突出させたことを特徴とする薄型表示装置の電源スイッチ取付構造。
【請求項２】
表示モジュールと、
該表示モジュールの背後に設置され、部品の実装面とは反対の面で前記表示モジュールと対向して配置されたメイン基板と、
スイッチ本体、及び、該スイッチ本体に進退自在に設けられシャフト、を有するプッシュ式の電源スイッチと、
前記シャフトに取付けられ電源のＯＮ／ＯＦＦ操作時に押動される押ボタンと、
前記メイン基板の一端縁に取付けられ筐体側面部に配置される板材と、
を有する薄型表示装置の電源スイッチ取付構造であって、
前記板材と一体に形成された保持部に、前記電源スイッチを前記メイン基板の実装面に対向するように保持するとともに、前記押ボタンの操作部を前記板材に設けた開口部から筐体の外部に突出させたことを特徴とする薄型表示装置の電源スイッチ取付構造。
【請求項３】
前記スイッチ本体をサブ基板に実装し、その実装面を前記メイン基板の実装面に対向配置するように前記サブ基板を前記保持部に保持したことを特徴とする請求項２に記載の薄型表示装置の電源スイッチ取付構造。
【請求項４】
前記サブ基板の実装面と反対の面を保護する保護板を設けたことを特徴とする請求項３に記載の薄型表示装置の電源スイッチ取付構造。
【請求項５】
前記保護板と前記サブ基板とをビスの共締めにより前記板材の保持部に保持したことを特徴とする請求項４に記載の薄型表示装置の電源スイッチ取付構造。
【請求項６】
前記板材が、映像入力端子、音声入力端子、アンテナ端子等の各種ジャックを保持するジャックホルダーであることを特徴とする請求項２〜５のいずれかに記載の薄型表示装置の電源スイッチ取付構造。
【発明の詳細な説明】
【技術分野】
【０００１】
本発明は、液晶テレビジョン受像器、プラズマテレビジョン受像器、液晶モニター等の薄型表示装置の電源スイッチ取付構造に関するものである。
【背景技術】
【０００２】
液晶テレビジョン受像器、プラズマテレビジョン受像器、液晶モニター等の薄型表示装置では、従来のＣＲＴ型表示装置のように筐体内部に奥行き方向への部品設置スペースを確保することが困難であるため、メイン基板は、液晶表示モジュールの背後に鉛直方向に立てた姿勢で設置されることが一般的である。
【０００３】
１６：９のアスペクト比を採用することの多い３２インチ以上の薄型表示装置の場合は、実装面積の広いメイン基板を搭載できるため、メイン基板上に電源スイッチを実装することが可能であり、電源スイッチを備えた製品モデルが一般的である。
【０００４】
しかし、４：３のアスペクト比を採用することの多い２０インチ以下の小型の薄型表示装置の場合は、メイン基板の実装面積を広く取れないため、電源スイッチ自体のない製品モデルが一般的である。
【０００５】
なお、特許文献１には、テレビゲーム機の筐体背面部に、電源スイッチとＡＣ電源の入力端子（インレット）とをケース内に収容してユニット化したスイッチ・インレットユニットを設けることが記載されているが、薄型表示装置の電源スイッチに関するものではない。
【０００６】
また、特許文献２には、ＣＲＴ型テレビジョン受像器の筐体内部に水平方向に配置されるメイン基板の下面に、電源スイッチと電源ボタンとを連結する棒状部材を配置したことが記載されているが、電源スイッチはメイン基板上に実装されているため、メイン基板に電源スイッチを実装することのできない上記の問題を克服する技術ではない。
【特許文献１】特開２００１−７６５６６号公報
【特許文献２】特開２００５−３４７９８９号公報
【発明の開示】
【発明が解決しようとする課題】
【０００７】
本発明は、上記従来の課題に鑑みてなされたものであり、メイン基板上に電源スイッチを実装できない場合であっても、筐体の奥行きを増すことなく電源スイッチを省スペースに設置することができる薄型表示装置の電源スイッチ取付構造を提供することを目的とする。
【課題を解決するための手段】
【０００８】
上記目的を達成するために請求項１に記載された薄型表示装置の電源スイッチ取付構造は、液晶表示モジュールと、該液晶表示モジュールの背後に設置され、部品の実装面とは反対の面で前記液晶表示モジュールと対向して配置されたメイン基板と、スイッチ本体、及び、該スイッチ本体に進退自在に設けられシャフト、を有するプッシュ式の電源スイッチと、前記シャフトに取付けられ電源のＯＮ／ＯＦＦ操作時に押動される押ボタンと、前記メイン基板の一端縁に取付けられ、筐体側面部に配置されるとともに、映像入力端子、音声入力端子、アンテナ端子等の各種ジャックを保持するジャックホルダーと、を有する薄型表示装置の電源スイッチ取付構造であって、前記スイッチ本体をサブ基板に実装し、その実装面を前記メイン基板の実装面に対向配置するように前記サブ基板を、前記サブ基板の実装面と反対の面を保護する保護板と共にビスの共締めにより、前記ジャックホルダーと一体に形成された保持部に保持するとともに、前記押ボタンの操作部を前記ジャックホルダーに設けた開口から筐体の外部に突出させたことを特徴としている。
【０００９】
また、請求項２に記載された薄型表示装置の電源スイッチ取付構造は、表示モジュールと、該表示モジュールの背後に設置され、部品の実装面とは反対の面で前記表示モジュールと対向して配置されたメイン基板と、スイッチ本体、及び、該スイッチ本体に進退自在に設けられシャフト、を有するプッシュ式の電源スイッチと、前記シャフトに取付けられ電源のＯＮ／ＯＦＦ操作時に押動される押ボタンと、前記メイン基板の一端縁に取付けられ、筐体側面部に配置される板材と、を有する薄型表示装置の電源スイッチ取付構造であって、前記板材と一体に形成された保持部に、前記電源スイッチを前記メイン基板の実装面に対向するように保持するとともに、前記押ボタンの操作部を前記板材に設けた開口部から筐体の外部に突出させたことを特徴としている。
【００１０】
また、請求項３に記載された薄型表示装置の電源スイッチ取付構造は、請求項２に記載された薄型表示装置の電源スイッチ取付構造において、前記スイッチ本体をサブ基板に実装し、その実装面を前記メイン基板の実装面に対向配置するように前記サブ基板を前記保持部に保持したことを特徴としている。
【００１１】
また、請求項４に記載された薄型表示装置の電源スイッチ取付構造は、請求項３に記載された薄型表示装置の電源スイッチ取付構造において、前記サブ基板の実装面と反対の面を保護する保護板を設けたことを特徴としている。
【００１２】
また、請求項５に記載された薄型表示装置の電源スイッチ取付構造は、請求項４に記載された薄型表示装置の電源スイッチ取付構造において、前記保護板と前記サブ基板とをビスの共締めにより前記板材の保持部に保持したことを特徴としている。
【００１３】
また、請求項６に記載された薄型表示装置の電源スイッチ取付構造は、請求項２〜５のいずれかに記載された薄型表示装置の電源スイッチ取付構造において、前記板材が、映像入力端子、音声入力端子、アンテナ端子等の各種ジャックを保持するジャックホルダーであることを特徴としている。
【発明の効果】
【００１４】
請求項１に記載された薄型表示装置の電源スイッチ取付構造によると、メイン基板上に電源スイッチを実装できない場合であっても、筐体の奥行きを増すことなく電源スイッチを省スペースに設置することができる。
【００１５】
また、予めスイッチ本の半田付けや電源コードの結線を行ったサブ基板を用いて、電源スイッチをジャックホルダーの保持部に容易に保持することができるため、電源スイッチの取付作業を容易に行うことができる。この際、サブ基板の実装面を、メイン基板の実装面に対向させるように配置するため、筐体の奥行きを増すことなく電源スイッチを省スペースに設置することができる。
【００１６】
さらに、サブ基板の実装面と反対の面にむき出しとなっているスイッチ本体の取付脚や半田が保護板により覆われるため、電源スイッチの取付作業を安全に行うことができる。
【００１７】
加えて、サブ基板と保護板とをビスの共締めにより板材の保持部に保持したので、コスト削減や作業性の向上が図られる。
【００１８】
また、筐体やメイン基板の仕様変更を伴うことなく、小部品であるジャックホルダーに電源スイッチの保持部を形成するだけで、電源スイッチ搭載型の薄型表示装置を安価に実現することができる。
【００１９】
請求項２に記載された薄型表示装置の電源スイッチ取付構造によると、メイン基板上に電源スイッチを実装できない場合であっても、筐体側面部に配される板材に一体に形成された保持部に、電源スイッチをメイン基板の実装面と対向するように保持することにより、筐体の奥行きを増すことなく電源スイッチを省スペースに設置することができる。
【００２０】
請求項３に記載された薄型表示装置の電源スイッチ取付構造によると、予めスイッチ本の半田付けや電源コードの結線を行ったサブ基板を用いて、電源スイッチを板材の保持部に容易に保持することができるため、電源スイッチの取付作業を容易に行うことができる。この際、サブ基板の実装面を、メイン基板の実装面に対向させるように配置するため、筐体の奥行きを増すことなく電源スイッチを省スペースに設置することができる。
【００２１】
請求項４に記載された薄型表示装置の電源スイッチ取付構造によると、サブ基板の実装面と反対の面にむき出しとなっているスイッチ本体の取付脚や半田が保護板により覆われるため、筐体の組立作業を安全に行うことができる。
【００２２】
請求項５に記載された薄型表示装置の電源スイッチ取付構造によると、サブ基板と保護板とをビスの共締めにより板材の保持部に保持したので、コスト削減や作業性の向上が図られる。
【００２３】
請求項６に記載された薄型表示装置の電源スイッチ取付構造によると、筐体やメイン基板の仕様変更を伴うことなく、小部品であるジャックホルダーに電源スイッチの保持部を形成するだけで、電源スイッチ搭載型の薄型表示装置を安価に実現することができる。
【発明を実施するための最良の形態】
【００２４】
以下、本発明を実施するための最良の形態について薄型表示装置の一例である液晶テレビジョン受像器を例にして図面を参照して説明する。図１は、本発明の実施の形態に係る液晶テレビジョン受像器の筐体の一部を切り欠いて示す主要構成要素の分解斜視図であり、図２は、同液晶テレビジョン受像器の一部を省略して示す水平断面図である。
【００２５】
図１に示すように、液晶テレビジョン装置は、樹脂製のフロントカバー１ａに、液晶表示パネルやバックライト装置等を備えてユニット化された液晶表示モジュール２、メイン基板３をビス等で固定した後、必要な電気部品や機械部品を装着し、樹脂製のリアカバー１ｂをフロントカバー１ａに取付けて筐体１が組立てられる。
【００２６】
図２に示すように、フロントカバー１ａには、その正面開口部に液晶表示モジュール２の液晶表示パネルの表示面が臨むように液晶表示モジュール２が配置され、ビス等で固定される。メイン基板３は、電源スイッチ５を除く必要な電子部品が既に実装されており、部品の実装面とは反対の面で表示モジュール２と対向するように、液晶表示モジュール２の背後に設置される。
【００２７】
ここで、電源スイッチ５は電子部品であるから、本来、メイン基板３上に実装されるべきであるが、上記のように、２０インチ以下の小型の薄型表示装置の場合は、メイン基板３の実装面積を広く取れないため、電源スイッチ５を設置するためのスペースを筐体１内部に別途確保することが必要となる。
【００２８】
しかしながら、ユーザーの薄型志向により、リアカバー１ｂを取付けた筐体１内部には、メイン基板３の部品実装部のリア側にスペースがほとんどないのが実情である。それにも拘わらず、メイン基板３の実装面全体を見渡すと、回路の導体ラインが主で、コンデンサー程度のそれほど嵩張らない部品が実装されるにすぎない箇所は存在するものである。そのような箇所のリア側には、比較的スペースを確保しやすい。本実施形態では、メイン基板３の実装面の左下隅のリア側に生まれるスペースを有効利用して、電源スイッチ５を、ジャックホルダー４を介して省スペースに設置するための取付構造を説明する。
【００２９】
まず、ジャックホルダー４について説明する。ジャックホルダー４は、外部機器との接続のための映像入力端子、音声入力端子、アンテナとの接続のためのアンテナ端子等の各種ジャック９（図２参照）を保持する部材である。図１に示すように、筐体１の側面部の開口部１１に配置される樹脂製の長細い板材である。ジャックホルダー４は、基部４１の裏面の上下に間隔をおいて複数形成されたビス止め用突片４８（図４参照）を介してメイン基板３の一端縁の実装面にビス等により固定される。
【００３０】
図３は、ジャックホルダーを表側から見た斜視図である。図３に示すように、ジャックホルダー４は、上記ジャックを取付けるための複数の丸孔や角孔を設けた基部４１と、基部４１の一方の長縁部からから直角に突出して一体に形成されたフランジ部４２と、を有する略Ｌ字型の硬質樹脂で一体成形された部材である。
【００３１】
基部４１には、筐体側面の開口部１１（図１参照）に嵌合してジャックホルダー４を位置決めするための一対の囲いリブ４１ａ、４１ｂを上下に画成し、これら囲いリブ４１ａ、４１ｂの周囲に上記筐体側面の開口部１１周辺の裏面に当接してジャックホルダー４を位置決めするための当接代４１ｃを形成している。囲いリブ４１ａ、４１ｂのリブ壁の１つは、フランジ部４２上に台状に形成されており、その分、他のリブ壁よりも壁の高さを高く形成している。このように、フランジ部４２上に囲いリブ４１ａ、４１ｂのリブ壁の１つを台状に形成することにより、筐体側面のコーナーエッジ部に形成される開口部１１にジャックホルダー４を精度良く位置決めすることが可能となる。
【００３２】
ジャックホルダー４の基部４１の囲いリブ４１ｂの内側下部には、特定のジャックを固定するための丸孔４９の隣りに、図２に示された電源スイッチ５のシャフト５２に取付けられた押ボタン７の操作部７２をジャックホルダー４の外部、即ち、筐体１の外部に突出させるための角孔４３が設けられている。
【００３３】
ここで先に、電源スイッチ５、押ボタン７、及び、サブ基板６について説明する。図８は、電源スイッチ、押ボタン、及び、サブ基板を分解して示す斜視図である。
【００３４】
電源スイッチ５は、図８に示すように、スイッチ本体５１、及び、スイッチ本体５１に進退自在に設けられ、周囲に溝が形成された角棒状のシャフト５２、を有するプッシュ式の電源スイッチである。スイッチ本体５１は、小サイズのサブ基板６に実装される。サブ基板６の実装面と反対の面は、スイッチ本体５１の取付脚や半田がむき出しとなっているため、図１に示すように、サブ基板６の該面を覆う保護板８を別途設けている。
【００３５】
押ボタン７は、図８に示すように、押ボタン７は、長方形の板状基部７１と、基部７１の一方の面の上端部に一体に形成され、四角錐の先端部を切り取った形状をしている操作部７２と、基部７１の他方の面の下端部に一体に形成された角筒であるキャップ部７３と、を有している。押ボタン７は、操作部７２が上で、キャップ部７３が下となる向きで、キャップ部７３に電源スイッチ５のシャフト５２を嵌合させることにより電源スイッチ５に取付けられる。
【００３６】
サブ基板６は、図２に示すように、その実装面をメイン基板３の実装面に対向配置するようにジャックホルダー４に固定される。図８に示すように、サブ基板６の一端部には、上端部及び下端部に一対のビス孔６ａ、６ｂが設けられ、さらに、ビス穴６ａ、６ｂの間に位置決め用の丸孔６ｃが設けられている。
【００３７】
再び、ジャックホルダー４の説明に戻る。図３に示すように、ジャックホルダー４の基部４１の下部の当接代４１ｃは上部よりも長めに延設されていて、その裏側に生まれるスペースは丁度、上述したメイン基板３の実装面の左下隅のリア側に生まれるスペースと一致している。以下に、このスペースを有効利用して省スペースに電源スイッチ５を設置するために、ジャックホルダー４に形成する保持部の構造を詳述する。
【００３８】
図４は、ジャックホルダーの下部を裏側から見た斜視図、図５は、同ジャックホルダー下部の側面図、図６は、同ジャックホルダー下部の側断面図、図７は、図５の矢視ｘ−ｘ線断面図である。
【００３９】
図４に示すように、ジャックホルダー４の基部４１の裏側には、角穴４３を間に挟んで上下に所定の間隔をおいて立設される一対の補強壁４４、４５が一体に形成されている。補強壁４４、４５のリア側は、ジャックホルダー４の基部４１の裏側から直角に突出する鉛直な壁として一体に形成された取付壁４６のフロント側の面に連結されて一体となっていて、これにより補強壁４４、４５は取付壁４６をフロント側から補強している。補強壁４４、４５の先端部には、ボス４４ａ、４５ａが形成されている。
【００４０】
図５に示すように、取付壁４６のリア側の面は、サブ基板６の取付面となっており、この取付面にはサブ基板６の位置決めを行うために、コの字型の突当て用凸部４６ａ及び円柱状の嵌合用凸部４６ｂが一体に形成されている。また、取付壁４６の上端部及び下端部には、基部４１から同じ距離の位置に一対のビス穴４６ｃ、４６ｄが形成されている。各ビス穴４６ｃ、４６ｄは、各ボス４４ａ、４５ａの中心部を貫通している。
【００４１】
図５に示すように、取付壁４６の高さ方向寸法Ｈは、サブ基板６の幅長さと略等しいが、取付壁４６の長さ方向寸法Ｌは、サブ基板６の長さよりも短い。この理由は、スイッチ本体５１や電源コードを実装したサブ基板６の実装面を、メイン基板３の実装面に対向配置するようにサブ基板６を取付壁４６に取付けるために、取付壁４６のフロント側にスイッチ本体５１や電源コードの逃げ場所を確保することが必要だからである。しかしながら、取付壁４６の長さが充分に取れないということは、サブ基板６の長さ方向に取付壁４６と重なる重なり代を充分に確保できないことを意味し、サブ基板６の取付強度が不足するおそれがある。
【００４２】
そこで、図５及び図７に示すように、取付壁４６の上端部を長さ方向に延長するように、支持部４６ｇを形成して、サブ基板６の取付強度の不足を補っている。支持部４６ｇの先端部上縁に沿って、サブ基板６の位置決め用の直線状の突当て用凸部４６ｈが形成されている。
【００４３】
支持部４６ｇは、肉厚の小さい棒状片であるため、機械的強度が不足しがちである。このため、図４に示すように、支持部４６ｇの上縁に沿ってフロント側（取付面とは反対側）に、補強壁４４の一部を延長するように形成した肉厚の小さい補強片４４ａを設けて補強している。
【００４４】
図４及び図６に示すように、ジャックホルダーの基部４１の裏面には、角孔４３を三方から取り囲むようにガイド壁４７が一体に立設されている。ガイド壁４７の長さ寸法は、シャフト５２のストロークよりも若干長く、ガイド壁４７の内径寸法は、図８に示された押ボタン７の基部７１の外径寸法と略等しく設定されている。
【００４５】
以上説明した、ジャックホルダー４の裏側に形成された特別な構造（取付壁４６、支持部４６ｇ、補強壁４４、４５、補強片４４ａ、ガイド壁４７）により、電源スイッチ５の保持部が構成されている。
【００４６】
次に、電源スイッチ５のジャックホルダー４の保持部への取付手順について説明する。図５に示すように、サブ基板６に実装された電源スイッチ５がメイン基板３の実装面と対向する向きで、サブ基板６の一端縁を取付壁４６の取付面の突当て用凸部４６ａに突き当てると共に、サブ基板６の他端上縁部を取付壁４６の支持部４６ｇの突当て用凸部４６ｈに突当て、さらに、サブ基板６の丸孔６ｃ（図８参照）に取付壁４６の嵌合用凸部４６ｂを嵌合するようにして位置決めする。そして、図１に示すように、サブ基板６を、保護板８と共にビスでビス穴４６ｃ、４６ｄに共締めにより固定する。
【００４７】
このとき、図２に示すように、シャフト５２に取付けられた押ボタン７の基部７１をガイド壁４７内に挿入し、押ボタン７の操作部７２を角孔４３からジャックホルダー４の外側に突出させるようにする。これにより、ジャックホルダー４の外部から操作部７２を押動することにより、シャフト５２が進退し、電源スイッチ５をＯＮ／ＯＦＦ操作することが可能となる。また、ガイド壁４７及び補強壁４４の壁面をガイドとしてシャフト５２のストロークの範囲内で押ボタン７の基部７１がスライドされるため、操作部７２の押動により押ボタン７に作用する力の方向がシャフト５２の軸線に対して平行でなくても、操作部７２の押動は確実にシャフト５２の進退に変換されるため、電源スイッチ５のＯＮ／ＯＦＦ操作を正確に行うことができる。
【００４８】
上記実施形態では、スイッチ本体をサブ基板に実装し、サブ基板を介して電源スイッチをジャックホルダーに形成した保持部に保持する場合を説明したが、保持部の取付壁を長さ方向に延長してこの取付壁の延長部のフロント側の面に直接スイッチ本体を固定するものであってもよい。これによれば、サブ基板が不要となるため、部品コストの削減が図られる。
【００４９】
また、上記実施形態では、映像入力端子、音声入力端子、アンテナ端子等の各種ジャックを保持するジャックホルダーに形成した保持部に電源スイッチを保持する場合を説明したが、筐体側面部に配される板材であればジャックホルダーには限られない。このような板材に保持部を一体に形成することにより、筐体に変更を加えずとも必要最小限の仕様変更のみで、薄型表示装置に低コストで電源スイッチを搭載することが可能となる。
【図面の簡単な説明】
【００５０】
【図１】は、本発明の実施の形態に係る液晶テレビジョン受像器の筐体のリアカバーを省略して示す主要構成部の分解斜視図である。
【図２】は、同液晶テレビジョン受像器の一部を省略して示す水平断面図である。
【図３】は、ジャックホルダーを表側から見た斜視図である。
【図４】は、同ジャックホルダーの下部を裏側から見た斜視図である。
【図５】は、同ジャックホルダー下部の側面図である。
【図６】は、同ジャックホルダー下部の側断面図である。
【図７】は、図５の矢視ｘ−ｘ線断面図である。
【図８】は、電源スイッチ、押ボタン、及び、サブ基板を分解して示す斜視図である。
【符号の説明】
【００５１】
１    筐体
２    液晶モジュール
３    メイン基板
４    ジャックホルダー
５    電源スイッチ
６    サブ基板
７    押ボタン
８    保護板
４３  角孔（開口）
４６  取付壁（保持部の一部）
【図１】
2008129369.tif 000003
【図２】
2008129369.tif 000004
【図３】
2008129369.tif 000005
【図４】
2008129369.tif 000006
【図５】
2008129369.tif 000007
【図６】
2008129369.tif 000008
【図７】
2008129369.tif 000009
【図８】
2008129369.tif 000010